(57)【特許請求の範囲】
【請求項１】
少なくとも２本の細長い物体(１６，１８，２０)を保持するための装置であって、前記装置によって保持されるそれぞれの物体の長軸(３２，３４)が前記装置の第１の動作状態において第１の角度をなす装置において、
第１の前記物体(１６)の前記長軸(３２)を横切る少なくとも１つの方向において前記第１の物体(１６)を保持するための第１の保持具(２２)及び第２の保持具(２６)を備え、
第２の前記物体(２０)の前記長軸を横切る少なくとも１つの方向において前記第２の物体(２０)を保持するための第３の保持具(２４)及び第４の保持具(２８)を備え、
前記装置が、前記装置によって保持される前記それぞれの物体の前記長軸が前記第１の角度とは異なる第２の角度をなす、第２の動作状態をとることができ、
前記第１の保持具(２２)、前記第２の保持具(２６)、前記第３の保持具(２４)及び／または前記第４の保持具(２８)が、前記物体(１６，２０)の前記長軸(３２)を中心にして周縁方向に保持するため、それぞれの前記保持具によって保持される前記物体(１６，２０)を少なくともある程度囲むことを特徴とする装置。
【請求項２】
前記保持具によって保持される前記物体の前記長軸を横切る方向に、前記第１の保持具(２２)が前記第２の保持具(２６)に対して調節され得ること及び／または前記第３の保持具(２４)が前記第４の保持具(２８)に対して調節され得ることを特徴とする請求項１に記載の装置。
【請求項３】
前記装置が、第１のコンポーネント(１０)及び、前記第１のコンポーネントに対して回転可能な、第２のコンポーネント(１２)を備え、前記第１の保持具(２２)及び／または前記第３の保持具(２４)が前記第１のコンポーネントに回転可能な態様で結合され、前記第２の保持具(２６)及び／または前記第４の保持具(２８)が前記第２のコンポーネントに回転可能な態様で結合され、それぞれに保持される前記物体(１６)を回転方向に保持することを特徴とする請求項１または２に記載の装置。
【請求項４】
前記装置が軸線(３６)を有し、前記第２のコンポーネント(１２)が、前記第１のコンポーネント(１０)に対し、前記軸線または前記軸線に平行に走る軸を中心にして回転され得ることを特徴とする請求項３に記載の装置。
【請求項５】
前記装置によって保持されている２本の前記物体(１６，１８，２０)の前記長軸(３２，３４)が互いに平行であるときに、前記軸線(３６)が前記２本の物体の前記長軸に平行であることを特徴とする請求項４に記載の装置。
【請求項６】
前記第１のコンポーネント(１０)が基部であること及び／または前記第２のコンポーネント(１２)がスイベルであることを特徴とする請求項３から５のいずれか１項に記載の装置。
【請求項７】
前記第１の保持具(２２)、前記第２の保持具(２６)、前記第３の保持具(２４)及び／または前記第４の保持具(２８)の内側輪郭が、保持されるべき前記物体(１６，１８，２０)のそれぞれの外側輪郭に整合されることを特徴とする請求項１から６のいずれか１項に記載の装置。
【請求項８】
前記第１の保持具(２２)、前記第２の保持具(２６)、前記第３の保持具(２４)及び／または前記第４の保持具(２８)が、保持のために、保持されるべき前記物体に弾性リセット力をかけることを特徴とする請求項１から７のいずれか１項に記載の装置。
【請求項９】
前記第１の物体(１６)が前記第２の物体(１８)の前記長軸(３４)に対して直角をなす少なくとも１つの方向に前記第２の物体(１８)を保持するためにはたらくように、前記第１の物体(１６)が保持されることを特徴とする請求項１から８のいずれか１項に記載の装置。
【請求項１０】
前記２本の物体(１６，１８，２０)の前記長軸(３２，３４)が前記第１の動作状態において０°の角度をなすことを特徴とする請求項１から９のいずれか１項に記載の装置。
【請求項１１】
少なくとも前記第１の動作状態を表示する標識部(３８，４０)を特徴とする請求項１から１０のいずれか１項に記載の装置。
【発明の詳細な説明】
【技術分野】
【０００１】
本発明は少なくとも２本の細長い物体、特にペンを保持するための装置に関し、装置の第１の動作状態においては、それぞれの物体の長軸が第１の角度をなして装置により保持される。
【背景技術】
【０００２】
上に特定されるタイプの装置は既知である。例えばペンのための保持装置の場合、保持装置は穴開きプレートでカバーされるポットまたはカップのような容器であり、物体またはペンは穴開きプレートの穴を通して延び出す。そのような従来の装置は調節が可能ではない。すなわち、例えば物体(ペン)の全てが互いに対して平行に揃えられた、単一の動作状態しかとることができない。特に穴が互いに非常に近接しているかあるいは多くの物体(ペン)が同一の穴から延び出している場合、特に物体またはペンが平行に揃えられているときには、物体またはペンの内の１本を取り出すことが困難なことがある。しかし、個々の物体またはペンの間の距離が大きくなるように保持装置が設計されていれば、一方では全体構成がより多くのスペースをとる。他方では距離を大きくするこのタイプの配置は美的外観が劣ることが多い。
【発明の概要】
【発明が解決しようとする課題】
【０００３】
本発明の課題は、所要スペースが減じられ、美的標準が改善され、それにもかかわらず、取扱い容易性、特に個々の物体(ペン)の取出し容易性が向上するように、冒頭で特定されたタイプの装置をさらに進化させることである。
【課題を解決するための手段】
【０００４】
本発明にしたがえば、冒頭で特定されたタイプの装置に対して設定された課題は、いずれの物体の長軸も第１の角度とは異なる第２の角度をなす装置によって保持される第２の動作状態をとり得ることで達成される。
【０００５】
本発明にしたがう装置では、所要スペースが最小限に抑えられ、美的に見える全体外観が保証されることによって、物体(ペン)が相互に小さな間隔をとって保持されるような、第１の状態に装置を構成することができる。他方で、本発明にしたがう保持装置は最適な取扱い容易性(物体の取出し容易性)が保証されるような第２の動作状態に構成され得る。
【０００６】
言い換えれば、本発明は、上述した相反する要件を満たす、２つの動作状態が提供されることで設定された課題を達成する。すなわち、第１の動作状態においては小さな所要スペース及び美的に見える外観の要件が満たされ、第２の動作状態においては主要な特徴が取扱い容易性である。
【０００７】
本発明にしたがえば、保持装置は、第１の物体の長軸を横切る少なくとも１つの方向に第１の物体を保持するための、第１及び第２の保持具を備えることが好ましい。そうすることで、機械的に特に簡単な解決策が見いだされた。
【０００８】
同様に、本発明はさらに、第２の物体の長軸を横切る少なくとも１つの方向に第２の物体を保持するための、第３及び第４の保持具を備えることが好ましい。
【０００９】
本発明にしたがえば、保持具によって保持される物体の長軸を横切る方向に、第１の保持具を第２の保持具に対して調節できれば、及び／または第３の保持具を第４の保持具に対して調節できれば、やはり好ましい。
【００１０】
この調節可能性により、機械的に特に簡単な態様で、第１の動作状態から第２の動作状態への(及び逆の)保持装置の調節が可能になる。
【００１１】
さらなる簡易化のため、本発明にしたがい、保持装置が第１のコンポーネント及び第１のコンポーネントに対して回転可能な第２のコンポーネントを備え、第１の保持具及び／または第３の保持具が第１のコンポーネント及び第２のコンポーネントに回転可能な態様で結合され、第２の保持具及び／または第４の保持具が第２のコンポーネントに回転可能な態様で結合されて、それぞれに保持される物体を回転方向に保持するような装備がなされることが好ましい。
【００１２】
この実施形態では、第２のコンポーネントに対して第１のコンポーネントをまわすことで第１の動作状態から第２の動作状態への(及び逆の)移り替わりがなされる。
【００１３】
ここで、本発明にしたがう装置が軸線を有し、第２のコンポーネントが第１のコンポーネントに対して軸線または軸線に平行に走る軸を中心にして回転され得るような装備がなされることが好ましい。この構成により、２つのコンポーネントの互いに対する調節が特に簡単になる。
【００１４】
ここで、装置によって保持されている２つの物体の長軸が互いに平行である場合に、装置の軸線が２つの物体の長軸に平行に走ることも好ましい。
【００１５】
言い換えれば、２つの物体の長軸が互いに平行に走り、本発明にしたがう保持装置の軸線にも平行に走る、動作状態が少なくとも１つある。
【００１６】
また、第１のコンポーネントが基部であれば、及び／または第２のコンポーネントがスイベルであれば、好ましい。
【００１７】
本発明の別の好ましい実施形態にしたがえば、第１，第２，第３及び／または第４の保持具が、それぞれによって保持される物体を、それぞれの軸線を中心にして周縁方向に保持するために、少なくともある程度は囲むような装備がなされる。
【００１８】
したがって、それぞれに保持される物体を、他方の物体の長軸に対して直角をなす１つより多くの方向に調節することが可能である。
【００１９】
また、本発明にしたがい、保持されるべきそれぞれの物体の外側輪郭に第１，第２，第３及び／または第４の保持具の内側輪郭が整合されるような装備がなされれば好ましい。
【００２０】
これにより、続いて、それぞれの保持具をそれぞれの軸線に対して直角をなす１つより多くの方向に調節することによって保持具を調節可能とすることが達成できる。
【００２１】
本発明にしたがい、保持するため、第１，第２，第３及び／または第４の保持具が保持されるべき物体に弾性リセット力をかけることも好ましい。
【００２２】
このようにすれば、取扱い容易性、特に装置への差込み容易性及び装置からの取出し容易性に影響を与えずに、物体の確実な保持が保証される。
【００２３】
保持具の数が保持されるべき物体の数に対応する必要はなく、実際、本発明にしたがえば、第１の物体が第２の物体の長軸に対して直角をなす少なくとも１つの方向に第２の物体を保持するためにはたらくように第１の物体が保持されるような装備をなすこともできる。
【００２４】
言い換えれば、本発明にしたがう保持具はペンが互いを保持するように構成することができ、これによって本発明にしたがう装置の全体構造が簡素化される。
【００２５】
２つの物体の長軸は第１の動作位置において０°の角度をなすことが好ましい。
【００２６】
既に上述したように、物体を互いに対して揃えることは特に省スペースの配置である。他方で、これは特に美的に快い。
【００２７】
最後に、本発明にしたがえば、少なくとも第１の動作状態を表示する標識部が設けられ得ることが好ましい。
【００２８】
このタイプの標識部により、このようにすれば、例えば最適な動作状態(例えば所要スペースが最小の物体の平行揃え)の達成の表示が可能になるから、保持装置のハンドリングが簡単になる。
【００２９】
以下で、好ましい例示実施形態を用い、さらなる詳細を示す図面を参照して、本発明をさらに詳細に説明する。
【図面の簡単な説明】
【００３０】
【図１】図１は本発明にしたがう保持装置の例示実施形態の簡略な側面図である。
【図２】図２は図１の保持装置の底面図である。
【図３】図３は図１の保持装置の上面図である。
【図４】図４は図１の保持装置の斜視図である。
【図５】図５は図１の保持装置の軸に沿う断面図である。
【図６】図６は第１の動作状態にある開放保持装置の上面図である。
【図７】図７は保持装置のスイベルの底面図である。
【図８】図８は保持装置の基部の上面図である。
【図９】図９は第２の動作状態にある保持装置の側面図である。
【図１０】図１０は第２の動作状態にある保持装置の上面図である。
【図１１】図１１は第２の動作状態にある保持装置の斜視側面図である。
【発明を実施するための形態】
【００３１】
図面に示される保持装置は、基部１０，スイベル１２及びフード１４を備える。フードは取外し可能である。保持装置は総数で１９本のペンを保持するように構成され、その内の３本は参照数字１６，１８及び２０で識別される。基部には多くの保持具が形成され、その内の２つは参照数字２２及び２４で識別される。スイベルも保持具を有する。その内の２つは参照数字２６及び２８で識別される。保持具２６及び２８は弾性突縁を有する。保持具２６の突縁形成部は参照数字３０で識別される。
【００３２】
図面に示されるペンは六角形の外側輪郭を有する。保持具２２，２４，２６，２８の内側輪郭は、保持具２２，２４，２６，２８がそれぞれに保持されるペンをある程度囲むように、六角形の外側輪郭の一区分に対応する、ペン１６及び１８の長軸は参照数字３２及び３４で識別される。保持具２２，２４，２６，２８がそれぞれに保持されるペンを周縁方向である程度囲むという事実により、保持具２２，２４，２６，２８はペンを、それぞれの軸線を横切る方向に、特にそれぞれの軸線に対して直角をなす方向に、保持することができ、あるいは調節時に、ペンを変位させることができる。
【００３３】
図面に示される保持装置の軸線は参照数字３６で識別される。
【００３４】
しかし、ペンは保持具２２，２４，２６，２８で保持されるだけでなく、隣接するペンによってもある程度は保持される。すなわち、例えばペン１６はペン１８の側辺の１つでペン１８を保持する。
【００３５】
図５は保持装置の第１の動作状態を示す。この動作状態においては、ペンの全てが相互に平行に揃えられる、図４によれば、この動作状態においては、三角形が形成されるように、２つの標識部３８，４０がつなぎ合わせられている。
【００３６】
ここでスイベル１２が基部１０に対し保持装置の軸線３６を中心にして回転されると、２つの保持具２６及び２８が２つの保持具２２及び２４に対して回転する。したがって、ペンの長軸は、ペンがもはや相互に平行ではなく、実際上鋭角をなすように、相互に変位させられる。ペンの束は扇のように開き、花束のように見える。この第２の動作状態が図９〜１１に示される。特に図９及び１１に見ることができるように、この第２の動作状態においては、２つの標識部３８及び４０も相互に動かされ、よって第１の(ペン平行)動作状態において見られた三角形がもはや消えている。
【００３７】
第１の(ペン平行)動作状態においては、例えばペン１８のような、内側に入っているペンを装置から取り出すことは困難であるか、または不可能でさえある。すなわち、ペンが内側に入るように相互に隣り合っているペンは掴むことができない。他方で、この動作状態は、ペンが互いに密接しているから、特に省スペースである。さらに、この状態はペンが整然と束ねられているから美的に見える。
【００３８】
図９及び１１にしたがう第２の動作状態においては、平行から外れているペン相互の相対位置が、ペン間距離が大きくなり、よってペンとペンの間に指を入れてそれぞれのペンを個々に掴んで、容易に取り出し得ることを意味するから、内側に入っているペンも取り出すことが容易である。
【００３９】
上記説明並びに添付される特許請求の範囲及び図面に開示される本発明の特徴は、本発明の様々な実施形態の実現に対して、個別にも、いかなる組合せにおいても、有意であり得る。
【符号の説明】
【００４０】
１０    基部
１２    スイベル
１４    フード
１６，１８，２０    ペン
２２，２４    (基部の)保持具
２６，２８    (スイベルの)保持具
３０    弾性突縁
３２，３４    長軸
３６    軸線
３８，４０    標識部
【図１−３】
0005525600.tif 000002
【図４】
0005525600.tif 000003
【図５−６】
0005525600.tif 000004
【図７】
0005525600.tif 000005
【図８】
0005525600.tif 000006
【図９】
0005525600.tif 000007
【図１０】
0005525600.tif 000008
【図１１】
0005525600.tif 000009